(57)【要約】【課題】資料などの被写体の切り替わりなど被写体輝度の変化状況に応じて適切に露出を制御する。【解決手段】被写体が切り替えられたか否かを検出し、被写体の切り替えが検出されない場合、画像の輝度に応じた第１の露出変更量に基づいて露出を制御する第１の露出制御を行い、被写体の切り替えが検出された場合、第１の露出変更量よりも輝度の増加に対する増加が緩やかである第２の露出変更量に基づいて、所定の期間、露出を制御する第２の露出制御を行うことを特徴とする構成とした。【選択図】図３
2018107590.tif 000002
【特許請求の範囲】
【請求項１】
被写体を撮像して得られた画像の輝度に応じて露出を制御する撮像装置であって、
前記被写体が切り替えられたか否かを検出する検出手段と、
前記輝度に応じて露出を制御する制御手段と、を有し、
前記検出手段によって前記被写体の切り替えが検出されない場合、前記制御手段は、前記輝度に応じた第１の露出変更量に基づいて前記露出を制御する第１の露出制御を行い、
前記検出手段によって前記被写体の切り替えが検出された場合、前記制御手段は、前記第１の露出変更量よりも前記輝度の増加に対する増加が緩やかである第２の露出変更量に基づいて、所定の期間、前記露出を制御する第２の露出制御を行うことを特徴とする撮像装置。
【請求項２】
前記制御手段は、前記画像の輝度と予め定められた目標値との輝度差分に応じて前記露出を制御し、
前記第１の露出変更量は前記輝度差分に応じて変化し、
前記第２の露出変更量は、前記第１の露出変更量よりも前記輝度差分の増加に対する増加が緩やかであることを特徴とする請求項１に記載の撮像装置。
【請求項３】
前記画像における輝度分布に応じて前記画像の明るさを示す代表値を求める算出手段を備え、
前記制御手段は、前記代表値を前記画像の輝度として用いることを特徴とする請求項３に記載の撮像装置。
【請求項４】
前記検出手段は、プレゼンテーションで用いられる資料を前記被写体として、前記資料の切り替わりを検出することを特徴とする請求項１乃至３のいずれか１項に記載の撮像装置。
【請求項５】
前記検出手段は、今回の画像の輝度と前回の画像の輝度とに基づいて前記被写体が切り替えられたか否かを検出することを特徴とする請求項１乃至４のいずれか１項に記載の撮像装置。
【請求項６】
前記検出手段は、前記画像を複数のブロックに分割して、前記複数のブロックの各々について輝度を評価する輝度評価値を求めて、今回の画像に係る輝度評価値と前回の画像に係る輝度評価値との差分を前記ブロックの各々について得て、前記差分が予め定められた閾値以上であるブロックの数を求め、前記閾値以上であるブロックの数が既定値を超えると、前記被写体の切り替わりを検出することを特徴とする請求項５に記載の撮像装置。
【請求項７】
前記制御手段は、前記検出手段によって前記被写体の切り替えが検出された場合、前記輝度差分を露出変更量として当該露出変更量に応じたゲインに基づいて前記画像の明るさを調整することを特徴とする請求項３に記載の撮像装置。
【請求項８】
前記制御手段は、前記検出手段によって前記被写体の切り替えが検出されない場合、露出変更量をゼロとして当該露出変更量に応じたゲインに基づいて前記画像の明るさを調整することを特徴とする請求項７に記載の撮像装置。
【請求項９】
前記所定の期間は、前記被写体を撮像して得られた画像のフレーム数に基づいて決定されることを特徴とする請求項１乃至８のいずれか１項に記載の撮像装置。
【請求項１０】
被写体を撮像して得られた画像の輝度に応じて露出を制御する撮像装置の制御方法であって、
前記被写体が切り替えられたか否かを検出する検出ステップと、
前記輝度に応じて露出を制御する制御ステップと、を有し、
前記検出ステップで前記被写体の切り替えが検出されない場合、前記制御ステップでは、前記輝度に応じた第１の露出変更量に基づいて前記露出を制御する第１の露出制御を行い、
前記検出ステップで前記被写体の切り替えが検出された場合、前記制御ステップでは、前記第１の露出変更量よりも前記輝度の増加に対する増加が緩やかである第２の露出変更量に基づいて、所定の期間、前記露出を制御する第２の露出制御を行うことを特徴とする制御方法。
【請求項１１】
被写体を撮像して得られた画像の輝度に応じて露出を制御する撮像装置で用いられる制御プログラムであって、
前記撮像装置が備えるコンピュータに、
前記被写体が切り替えられたか否かを検出する検出ステップと、
前記輝度に応じて露出を制御する制御ステップと、を実行させ、
前記検出ステップで前記被写体の切り替えが検出されない場合、前記制御ステップでは、前記輝度に応じた第１の露出変更量に基づいて前記露出を制御する第１の露出制御を行い、
前記検出ステップで前記被写体の切り替えが検出された場合、前記制御ステップでは、前記第１の露出変更量よりも前記輝度の増加に対する増加が緩やかである第２の露出変更量に基づいて、所定の期間、前記露出を制御する第２の露出制御を行うことを特徴とする制御プログラム。
【発明の詳細な説明】
【技術分野】
【０００１】
本発明は、撮像装置、その制御方法、および制御プログラムに関し、特に、被写体を撮像して動画像を得る撮像装置に関する。
【背景技術】
【０００２】
デジタルビデオカメラなどの撮像装置では、自動で露出を制御する際、被写体輝度の平均値を算出し、当該平均値が予め定められた目標値に近づくように絞り値、シャッター速度、および撮影感度などを変更することが行われている。この場合、被写体の明るさが急激に変化したとしても安定的に露出が変化するように、露出の制御量を平均値と目標値との差分よりも小さくするようにしている。
【０００３】
ところが、上述の手法を用いた場合、露出が適正となるまでに時間を要してしまう。このため、例えば、現在の明るさと目標値との差分に応じて、所定の時間における露出の制御量を変化させる手法がある（特許文献１参照）。
【先行技術文献】
【特許文献】
【０００４】
【特許文献１】特開２００７−２８８８０１号公報
【発明の概要】
【発明が解決しようとする課題】
【０００５】
ところで、プレゼンテーションなどを行う場合に、プロジェクター又はモニタなどの表示装置に資料（画像）を表示してプレゼンテーションを行うことがある。そして、表示された資料を撮像してプレゼンテーションの内容を記録する際には、当該資料が見やすい明るさとなるように、撮像の際の露出量を制御（露出制御）することが望ましい。
【０００６】
プレゼンテーションの内容を映像として記録する場合、資料の切り替わり又は同一の資料におけるアニメーションなどの効果によって、被写体の明るさが大きく変化することがある。この際、ユーザに与える違和感を低減するため、資料の切り替わり時とそれ以外の場合とにおいて所定の時間における露出の制御量（変更量）を異ならせることが望ましい。
【０００７】
しかしながら、特許文献１に記載の手法においては、輝度変化の検出が資料の切り替わりによるものであるか否かを判定することができない。つまり、資料の切り替わりに拘わらず輝度変化が検出されれば、当該輝度変化に対応する制御量で露出制御が行われてしまう。このため、プレゼンテーションの内容を映像として記録する場合に、ユーザに違和感を与えてしまうことがある。
【０００８】
本発明の目的は、資料などの被写体の切り替わりなど被写体輝度の変化状況に応じて適切に露出を制御することのできる撮像装置、その制御方法、および制御プログラムを提供することにある。
【課題を解決するための手段】
【０００９】
上記の目的を達成するため、本発明による撮像装置は、被写体を撮像して得られた画像の輝度に応じて露出を制御する撮像装置であって、前記被写体が切り替えられたか否かを検出する検出手段と、前記輝度に応じて露出を制御する制御手段と、を有し、前記検出手段によって前記被写体の切り替えが検出されない場合、前記制御手段は、前記輝度に応じた第１の露出変更量に基づいて前記露出を制御する第１の露出制御を行い、前記検出手段によって前記被写体の切り替えが検出された場合、前記制御手段は、前記第１の露出変更量よりも前記輝度の増加に対する増加が緩やかである第２の露出変更量に基づいて、所定の期間、前記露出を制御する第２の露出制御を行うことを特徴とする。
【発明の効果】
【００１０】
本発明によれば、資料などの被写体の切り替わりなど被写体輝度の変化状況に応じて適切に露出を制御することができる。
【図面の簡単な説明】
【００１１】
【図１】本発明の第１の実施形態による撮像装置の一例についてその外観を示す斜視図である。
【図２】図１に示すカメラの構成についてその一例を示すブロック図である。
【図３】図２に示すカメラで行われる露出制御量（露出変更量）の決定処理を説明するためのフローチャートである。
【図４】図３に示す資料の切り替わりを判定する際に用いられる検出処理を説明するためのフローチャートである。
【図５】図２に示すシステム制御部で行われる露出変更量の決定を説明するための図である。
【図６】本発明の第２の実施形態によるカメラで行われる露出変更量決定処理の一例を説明するためのフローチャートである。
【図７】本発明の第３の実施形態によるカメラで行われる露出変更量決定処理の一例を説明するためのフローチャートである。
【発明を実施するための形態】
【００１２】
以下に、本発明の実施の形態による撮像装置の一例について図面を参照して説明する。
【００１３】
［第１の実施形態］
図１は、本発明の第１の実施形態による撮像装置の一例についてその外観を示す斜視図である。
【００１４】
図示の撮像装置は、所謂デジタルビデオカメラ（以下単にカメラと呼ぶ）１００である。カメラ１００には表示部２８が備えられており、表示部２８はヒンジ機構などによってカメラ本体に対して回動可能である。ユーザは撮影の際には、表示部２８を回動させて、図１に示す状態とする。表示部２８には、撮影の結果得られた画像および各種情報が表示される。
【００１５】
カメラ本体の後側には録画スイッチ６１が配置されている。そして、ユーザは当該録画スイッチ６１を操作して撮影指示を行う。カメラ本体の側面には、モード切替スイッチ６０、操作部７０、およびコネクタ１１２が配置されており、表示部２８を図１に示す状態とした際にモード切替スイッチ６０、操作部７０、およびコネクタ１１２が現れる。
【００１６】
ユーザはモード切替スイッチ６０を用いて撮影モードの切り替えを行う。カメラ１００はコネクタ１１２に接続される接続ケーブルを介して外部機器に接続可能である。前述の操作部７０の一部は表示部２８の横にも配置されており、操作部７０には、ユーザの操作を受け付ける各種ボタンおよび十字キーなどの操作部材が備えられている。
【００１７】
カメラ本体の上面には電源スイッチ７２が配置され、ユーザは電源スイッチ７２によってカメラ１００の電源オンおよび電源オフを行う。また、カメラ本体の後面には、記録媒体スロット２０１が形成されており、この記録媒体スロット２０１には必要に応じて記録媒体２００が格納される。そして、記録媒体スロット２０１に格納された記録媒体２００はカメラ１００との通信が可能となる。なお、記録媒体２００として、例えば、メモリカードが用いられる。
【００１８】
図２は、図１に示すカメラの構成についてその一例を示すブロック図である。
【００１９】
カメラ１００は撮影レンズユニット（以下単に撮影レンズと呼ぶ）１０３を備えており、撮影レンズ１０３には、少なくともズームレンズおよびフォーカスレンズが備えられている。
【００２０】
撮影レンズ１０３の後段には光量を調整するための絞り１０１が配置されている。そして、絞り１０１の後側には、光学像（被写体像）を電気信号（アナログ信号）に変換するＣＣＤ又はＣＭＯＳセンサなどの撮像素子を有する撮像部２２が配置されている。撮像部２２の出力であるアナログ信号はＡ／Ｄ変換器２３によってデジタル信号（画像データ）に変換される。
【００２１】
なお、撮影レンズ１０３の前面側にはバリア１０２が配置されており、このバリア１０２は撮影レンズ１０３、絞り１０１、および撮像部２２などの撮像系を覆って、その汚れおよび破損を防止するためのものである。
【００２２】
画像処理部２４は、Ａ／Ｄ変換器２３の出力である画像データ、又はメモリ制御部１５から画像データを受けて、所定の画素補間および縮小などのリサイズ処理と色変換処理とを行う。また、画像処理部２４は撮像の結果得られた画像データを用いて所定の演算処理を行う。
【００２３】
システム制御部５０は、画像処理部２４による所定の演算処理によって得られた演算結果に基づいて露光制御および測距制御を行う。これにより、ＴＴＬ（スルー・ザ・レンズ）方式のＡＦ（オートフォーカス）処理およびＡＥ（自動露出）処理が行われる。
【００２４】
さらに、画像処理部２４は撮像の結果得られた画像データを用いて所定の演算処理を行って、当該演算結果に基づいてＴＴＬ方式のＡＷＢ（オートホワイトバランス）処理を行う。
【００２５】
Ａ／Ｄ変換器２３の出力である画像データは、画像処理部２４およびメモリ制御部１５を介して、或いは直接メモリ制御部１５を介して、メモリ３２に書き込まれる。このメモリ３２は、所定時間の動画像および音声を格納するための十分な記憶容量を備えている。
【００２６】
図示のメモリ３２は画像表示用のメモリ（ビデオメモリ）を兼ねており、メモリ３２に書き込まれた表示用の画像データは、メモリ制御部１５によってＤ／Ａ変換器１３を介して表示部２８に与えられて、画像として表示される。
【００２７】
なお、表示部２８は、例えば、ＬＣＤである。また、メモリ３２に蓄積された画像データをＤ／Ａ変換器１３でＤ／Ａ変換して表示部２８に逐次転送して表示すれば、表示部２８は電子ビューファインダとして機能しスルー画像表示（ライブビュー表示）を行うことができる。
【００２８】
システム制御部５０はカメラ１００全体の制御を司る。不揮発性メモリ５６は、電気的に消去・記録可能なメモリであって、例えば、ＥＥＰＲＯＭが用いられる。不揮発性メモリ５６にはシステム制御部５０の動作用の定数、変数、およびプログラムなどが格納されている。このプログラムには、後述する各種フローチャートを実行するためのプログラムが含まれる。
【００２９】
システムメモリ５２は、例えば、ＲＡＭであり、システム制御部５０は不揮発性メモリ５６から動作用の定数、変数、およびプログラムなどを読み出して、システムメモリ５２に展開する。
【００３０】
なお、メモリ３２に書き込まれた画像データは、システム制御部５０においてファイル化されて、記録媒体インターフェース（Ｉ／Ｆ）１８を介して記録媒体２００に記録される。また、システム制御部５０は、メモリ３２、Ｄ／Ａ変換器１３、および表示部２８などを制御することによって表示制御を行う。
【００３１】
システム制御部５０にはシステムタイマー５３が接続されており、システムタイマー５３はシステム制御部５０による各種制御で用いる時間を計測してシステム制御部５０に与える。
【００３２】
モード切替スイッチ６０は、例えば、システム制御部５０の動作モードを動画記録モードおよび再生モードなどのいずれかに切り替える際に用いられる。さらに、モード切替スイッチ６０は、これら動作モードの各々に含まれる詳細モードに切り替える際に用いられる。
【００３３】
動画記録モードには、例えば、オート撮影モード、オートシーン判別モード、マニュアルモード、撮影シーン別の撮影設定となる各種シーンモード、プログラムＡＥモード、およびカスタムモードがある。モード切替スイッチ６０を用いれば、動画記録モードに含まれるこれらのモードのいずれかに直接切り替えることができる。また、モード切り替えスイッチ６０を用いて動画記録モードに一旦切り換えた後に、動画記録モードに含まれるこれらのモードのいずれかに他の操作部材を用いて切り替えるようにしてもよい。
【００３４】
録画スイッチ６１は撮影待機状態と撮影状態とを切り替える際に用いられる。システム制御部５０は、録画スイッチ６１の操作によって撮影状態となると、撮像部２２の信号読み出しから記録媒体２００に動画データを書き込むまでの一連の撮像処理の動作を開始する。
【００３５】
表示部２８に表示される種々の機能アイコンを選択操作すると、場面（撮影シーン）毎に適宜機能が割り当てられて、操作部７０は各種機能ボタンとして作用する。機能ボタンとして、例えば、メニューボタン、終了ボタン、戻るボタン、画像送りボタン、ジャンプボタン、絞込みボタン、および属性変更ボタンがある。例えば、メニューボタンが押されると、各種設定可能なメニュー画面が表示部２８に表示される。ユーザは表示部２８に表示されたメニュー画面を用いて、上下左右４方向の十字キーおよびＳＥＴボタンを操作し直感的に各種設定を行うことができる。
【００３６】
電源制御部８０は電池検出回路、ＤＣ−ＤＣコンバータ、および通電するブロックを切り替えるスイッチ回路などを備えている。そして、電源制御部８０は電池の装着の有無、電池の種類、および電池残量の検出を行う。また、電源制御部８０は上記の検出結果およびシステム制御部５０の指示に基づいてＤＣ−ＤＣコンバータを制御して、所定の電圧を必要な期間の間、記録媒体２００を含むカメラ１００の各部に供給する。
【００３７】
電源制御部８０には電源部３０が接続されている。電源部３０はアルカリ電池又はリチウム電池などの一次電池、又はＮｉＣｄ電池、ＮｉＭＨ電池、又はＬｉ電池などの二次電池を備えるとともに、ＡＣアダプターなどを有している。
【００３８】
Ｉ／Ｆ１８は、メモリカードなどの記録媒体２００とのインターフェースであり、記録媒体２００には撮影の結果得られた動画データが記録される。なお、記録媒体２００は半導体メモリなどによって構成される。
【００３９】
ここで、図２に示すカメラ１００を用いて、資料の切り替わりが発生するプレゼンテーションなどの内容を撮影している際の露出制御について説明する。
【００４０】
図３は、図２に示すカメラで行われる露出制御量（露出変更量）の決定処理を説明するためのフローチャートである。なお、図示の処理はシステム制御部５０が不揮発性メモリ５６に格納されたプログラムをシステムメモリ５２に展開して実行することによって行われる。
【００４１】
図２に示す画像処理部２４は、画像データ（つまり、動画データのフレーム）を検波する検波回路を有している。検波回路は、例えば、画像データを８×８ブロック（枠ともいう）、つまり、複数のブロックに分割して、当該枠毎の輝度を平均化して平均輝度値を得る。そして、画像処理部２４は、合計６４つの輝度値（輝度信号値）をシステム制御部５０に送る。つまり、画像処理部２４は画像の輝度分布をシステム制御部５０に送る。
【００４２】
システム制御部５０は、輝度信号値に基づいて、現在の明るさの代表値を求める。ここでは、代表値は６４つの輝度信号値（各ブロックの輝度信号値）の平均値とする。そして、システム制御部５０は代表値に応じて露出が適正であるか否かを判定する（ステップＳ３０１）。
【００４３】
ステップＳ３０１においては、システム制御部５０は露出が適正である場合の明るさの目標値と現在の代表値との差分ΔＢＶが所定の範囲内であるか否かを判定する。そして、システム制御部５０は差分ΔＢＶが所定の範囲内であれば露出が適正であると判定し、差分ΔＢＶが所定の範囲を超えていると露出が適正でないと判定する。
【００４４】
なお、ここでは、明るさの代表値として、６４つの輝度信号値の平均値を用いたが、画像中央部の比率を高くするように加重平均を行って平均値を求めるようにしてもよい。さらには、所定の輝度値を超える高輝度の枠を除いて平均値を求めるようにしてもよい。また、画像データを分割する枠数は適宜増減してもよい。
【００４５】
露出が適正であると（ステップＳ３０１において、ＹＥＳ）、システム制御部５０は露出制御モードを”０”とする（ステップＳ３０２）。一方、露出が適正でないと（ステップＳ３０１において、ＮＯ）、システム制御部５０は後述するステップＳ３０３の処理に進む。
【００４６】
なお、露出制御モード０は通常の撮影を行う際の通常用露出制御（第１の露出制御）であり、後述する露出制御モード１は資料切替時用の露出制御（第２の露出制御）である。そして、第２の露出制御では、所定の時間（例えば、単位時間）における露出の変更量（変更度合）＝露出変更量（露出変更度合）とされる。
【００４７】
なお、露出制御モード０としては、露出制御モード１とは異なる露出変更量で被写体の輝度変化に応じた露出制御が可能であれば、どのような被写体を主たる撮像対象とするモードであってもよい。露出制御モード０と１との差異についての詳細は以下に説明する。
【００４８】
続いて、システム制御部５０は露出制御モードが露出制御モード１、つまり、資料切替時用露出制御であるか否かを判定する（ステップＳ３０３）。露出制御モードが”１”であると（ステップＳ３０３において、ＹＥＳ）、システム制御部５０は、後述するようにして、応答性特性１を用いて露出変更量（露出制御量）を決定する（ステップＳ３０４）。そして、システム制御部５０は決定処理を終了する。
【００４９】
露出制御モードが資料切替時用露出制御でないと（ステップＳ３０３において、ＮＯ）、システム制御部５０は資料の切り替わりであるか否かを判定する（ステップＳ３０５）。
【００５０】
図４は、図３に示す資料の切り替わりを判定する際に用いられる検出処理を説明するためのフローチャートである。
【００５１】
資料切り替わり検出処理を開始すると、システム制御部５０は、枠毎の輝度信号値と露出パラメータとに基づいて枠毎の輝度評価値（以下単に評価値と呼ぶ）を求める（ステップＳ４０１）。ここでは、一例として、システム制御部５０は、各枠の輝度平均値と目標値との差分である輝度差分ΔＢＶｎを求める（なお、添え字ｎは画像の分割数である）。そして、システム制御部５０は、現在の露出パラメータ（絞り（ＡＶ）値、シャッター速度（ＴＶ）値、感度（ＳＶ）値）と輝度差分ΔＢＶｎとに基づいて各枠の輝度値ＢＶｎを算出し、当該輝度値ＢＶｎを評価値とする。
【００５２】
続いて、システム制御部５０は、各枠について前回の評価値と現在（今回）の評価値との差分を評価差分として算出する（ステップＳ４０２）。そして、システム制御部５０は、評価差分が予め定められた閾値以上の枠の数（ブロック数）を求める（ステップＳ４０３）。
【００５３】
次に、システム制御部５０は現在の評価値をシステムメモリ５２にバックアップする（ステップＳ４０４）。そして、システム制御部５０は、閾値を超えた枠数が既定値を超えているか否かを判定する（ステップＳ４０５）。枠数が既定値を超えていると（ステップＳ４０５において、ＹＥＳ）、システム制御部５０は多数の枠の輝度値が所定以上変化しているとして、資料の切り替わりであると判定する（ステップＳ４０６）。そして、システム制御部５０は検出処理を終了する。
【００５４】
一方、枠数が既定値以下であると（ステップＳ４０５において、ＮＯ）、システム制御部５０は、例えば、人が動くか又は日の当たり方が変化したことによって生じる通常の明るさの変化であると判定する（ステップＳ４０７）。そして、システム制御部５０は検出処理を終了する。
【００５５】
ここでは、輝度信号値に基づいて資料の切り替わりを検出する例について説明したが、資料の切り替わり検出はこの例には限定されない。例えば、資料が切り替えられた際にプロジェクター又はモニタから切り替えを示す信号を受けるようにしてもよい。さらには、資料に識別用マークを付加して、当該マークの変化を検出して切り替わりを判定するようにしてもよい。
【００５６】
再び図３を参照して、資料の切り替わりを検出すると（ステップＳ３０５において、ＹＥＳ）、システム制御部５０は、露出制御モードを露出検出モード１、つまり、資料切替時用露出制御とする（ステップＳ３０６）。そして、システム制御部５０はステップＳ３０４の処理に進む。
【００５７】
一方、資料の切り替わりを検出しないと（ステップＳ３０５において、ＮＯ）、システム制御部５０は、後述するようにして、応答性特性０を用いて露出変更量を決定する（ステップＳ３０７）。そして、システム制御部５０は決定処理を終了する。
【００５８】
図５は、図２に示すシステム制御部で行われる露出変更量の決定を説明するための図である。そして、図５（ａ）は応答性特性０を示す図であり、図５（ｂ）は応答性特性１を示す図である。
【００５９】
図５（ａ）および図５（ｂ）において、横軸は輝度差分ΔＢＶを示し、縦軸は露出変更量を示す。図５（ａ）に示すように、応答性特性”０”においては、輝度差分ΔＢＶの増加に連れて露出変更量も増加するが、輝度差分ΔＢＶの増加に対する露出変更量の増加は小さい。さらに、応答性特性”０”では、被写体の変化に起因する露出変動によって頻繁に映像の露出変化が生じることを軽減するため、輝度差分ΔＢＶが小さい領域では、露出変化量の増加をより少なくしている。但し、輝度差分ΔＢＶがゼロ近傍においては露出変化量の増加を大きくする。
【００６０】
一方、資料切り替わりの際、つまり、応答性特性”１”の場合には、図５（ｂ）に示すように、輝度差分ΔＢＶの増加率と露出変更量の増加率は等しく、線型となっている。ここでは、資料切り替わりの際には、輝度差分ΔＢＶの増加分、露出変更量を増加することによって、露出を迅速に適正状態とする。
【００６１】
ところで、図示の例では、輝度差分ΔＢＶの増加分、露出変更量を増加させるようにしたが、輝度差分ΔＢＶの増加分だけ露出を変更しても露出が適正とならないことがある。つまり、検波および露出変更のタイミングのずれ、画像信号の飽和に起因するずれ、および演算誤差などによって輝度差分ΔＢＶの増加分だけ露出を変更しても露出が適正とならないことがある。このような場合に、輝度差分ΔＢＶの変化分を露出変更量とすると、露出変更量が大きくなり過ぎて、ハンチングが生じる可能性がある。よって、露出変更量を、例えば、輝度差分ΔＢＶの変化量の８０％として、輝度差分ΔＢＶよりも小さくする。但し、露出が適正になるまでのフレーム数が多くなることを考慮する必要がある。
【００６２】
上述のようにして、露出変更量を決定すると、システム制御部５０は、露出変更量に応じて絞り１０１の絞り値、撮像部２２におけるシャッタースピード、およびＡ／Ｄ２３のゲインなどの制御量の少なくとも１つを決定する。そして、システム制御部５０は、当該制御量に応じた制御を実行して露出を変更する。
【００６３】
このように、本発明の第１の実施形態では、プレゼンテーションなどを撮影する際、資料の切り替わりなど輝度の変化状況に応じて適切に露出を制御することができる。さらには、資料の切り替わりから適正な露出となるまでの時間を短くすることができる。
【００６４】
なお、上述した実施形態では、露出制御モードを設定可能な場合であって、ステップＳ３０３において露出制御モードを判定する処理を設ける場合について説明したが、これに限定されるものではない。例えば、図３に図示するフローチャートのうち、ステップＳ３０２、Ｓ３０３、Ｓ３０６の処理を省いてもよく、その場合は、Ｓ３０１の処理においてΔＢＶが所定の範囲内ではない（Ｓ３０１でＮＯ）と判定された場合に、ステップＳ３０５の処理へと移行する。また、ステップＳ３０１でＹＥＳと判定された場合は被写体の輝度変化が小さいと考えられるため、露出変更量の違いに応じた露出制御に大きな影響は与えない。本実施形態としては、少なくとも、露出が適正値から乖離している場合に、その原因が資料の切り替わりによるか否かを判定した結果に基づいて露出変更量を制御できるものであればよい。
【００６５】
［第２の実施形態］
続いて、本発明の第２の実施形態によるカメラの一例について説明する。なお、第２の実施形態によるカメラの構成は、図１および図２に示すカメラと同様である。
【００６６】
前述の第１の実施形態では、資料が切り替わる際に、輝度差分に応じて露出変更量を決定するようにしたが、資料の切り替わりの際に資料の明るさが変動してしまうことがある。第２の実施形態では、資料の切り替わり際に生じる明るさの変動、つまり、露出の変動を低減する。
【００６７】
第２の実施形態によるカメラでは、画像処理部２４は検波回路に加えてゲイン回路を備えている。そして、第２の実施形態によるカメラでは、画像処理部２４は輝度差分ΔＢＶに応じたゲインに応じて画像の明るさを調整する。
【００６８】
図６は、本発明の第２の実施形態によるカメラで行われる露出変更量決定処理の一例を説明するためのフローチャートである。なお、図６において、図３に示すフローチャートのステップと同一のステップについては同一の参照符号を付して説明を省略する。
【００６９】
ステップＳ３０３において、露出制御モードが”１”であると、システム制御部５０は露出変更量を輝度差分ΔＢＶとする（ステップＳ６０１）。そして、システム制御部５０は、ステップＳ６０１で決定した露出変更量に応じたゲインを求めて、当該ゲインを画像処理部２４に送る。画像処理部２４は、このゲインに応じて検波した画像データの明るさを調整する。その後、システム制御部５０は露出変更量決定処理を終了する。
【００７０】
ステップＳ３０５において、資料の切り替わりを検出しないと、システム制御部５０は、露出変更量をゼロとする（ステップＳ６０２）。そして、システム制御部５０は、ステップＳ６０２で決定した露出変更量に応じたゲインを求めて、当該ゲインを画像処理部２４に送る。画像処理部２４は、このゲインに応じて検波した画像データの明るさを調整する。その後、システム制御部５０は露出変更量決定処理を終了する。
【００７１】
なお、ステップＳ３０６の処理の後、システム制御部５０はステップＳ６０１の処理に進む。
【００７２】
このように、本発明の第２の実施形態では、資料の切り替わりを検出すると、露出制御モード１を設定するが、当該露出制御モード１とした際には、適正な露出となるまで、露出変更量に応じたゲインによって画像データを適正な明るさとする。これによって、資料切り替わりの際に露出が適正となるまでの露出変動を低減することができる。さらには、資料の切り替わりでない場合には、露出変更量をゼロとして露出制御を行わないので応答性が低下することはない。
【００７３】
［第３の実施形態］
続いて、本発明の第３の実施形態によるカメラの一例について説明する。なお、第３の実施形態によるカメラの構成は、図１および図２に示すカメラと同様である。
【００７４】
図７は、本発明の第３の実施形態によるカメラで行われる露出変更量決定処理の一例を説明するためのフローチャートである。なお、図７において、図３に示すフローチャートのステップと同一のステップについては同一の参照符号を付して説明を省略する。
【００７５】
露出変更量決定処理を開始すると、システム制御部５０は、資料の切り替わりからのフレーム数を示すパラメータｎが既定値を超えているか否かを判定する（ステップＳ７０１）。例えば、資料の切り替わりから３フレームの間、資料切替時用の露出制御を行うとすると、既定値として”３”が設定される。
【００７６】
パラメータｎが既定値を超えていると（ステップＳ７０１において、ＹＥＳ）、システム制御部５０はステップＳ３０２の処理に進む。一方、パラメータｎが既定値以下であると（ステップＳ７０１において、ＮＯ）、システム制御部５０はステップＳ３０３の処理に進む。
【００７７】
ステップＳ３０４の処理の後、システム制御部５０はパラメータｎをインクリメントして、ｎ＝ｎ＋１とする（ステップＳ７０２）。そして、システム制御部５０は露出変更量決定処理を終了する。
【００７８】
ステップＳ３０７の処理の後、システム制御部５０はパラメータｎをゼロとする  （ステップＳ７０３）。そして、システム制御部５０は露出変更量決定処理を終了する。
【００７９】
このように、本発明の第３の実施形態では、資料が切り替わった後、所定のフレーム数（つまり、所定の期間）、資料の切り替わり用の露出制御を行う。これによって、適正な露出となるまでの時間を短くすることができる。さらに、所定の期間が経過すると通常の露出制御に切り替わるので、応答性を重視した露出制御の継続を防ぐことができる。
【００８０】
以上、本発明について実施の形態に基づいて説明したが、本発明は、これらの実施の形態に限定されるものではなく、この発明の要旨を逸脱しない範囲の様々な形態も本発明に含まれる。
【００８１】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００８２】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８３】
１５  メモリ制御部
２２  撮像部
２３  Ａ／Ｄ変換器
２４  画像処理部
５０  システム制御部
５２  システムメモリ
５６  不揮発性メモリ
６０  モード切替スイッチ
６１  録画スイッチ
７０  操作部
【図１】
2018107590.tif 000003
【図２】
2018107590.tif 000004
【図３】
2018107590.tif 000005
【図４】
2018107590.tif 000006
【図５】
2018107590.tif 000007
【図６】
2018107590.tif 000008
【図７】
2018107590.tif 000009